(57)【特許請求の範囲】
【請求項１】
ムーブメント、文字盤（１０）および前記ムーブメントにより駆動され、かつ、時刻を表示する複数の針（１２、１４）を有する時計部材に取り付けられるようにされた日付表示装置であって、ムーブメント上に回転可能に取り付けられ、それぞれ、その日の１の位および１０の位を表示することを目的とされた第１（３２）および第２（３４）表示部材と、前記ムーブメントにより制御され、かつ、前記表示部材の一方、他方または両方を日に１度ずつ先へ進めるように構成された駆動・位置決定装置（３０）とを有する日付表示装置であり、
第１部材（３２）が指標（２４）を有すること、前記駆動・位置決定装置（３０）および第１部材（３２）は、前記駆動・位置決定装置が１の位の表示を値ｎからｎ＋1まで変化させるときに（ｎは１から９までの整数である。）、前記第１部材（３２）が時計回りに３０°の角度を進むように取り付けられること、並びにｎが１である場合、１時のときに時針が占める位置に相当する位置に指標（２４）が配されること、を特徴とする日付表示装置。
【請求項２】
前記請求項１に記載された装置であって、前記駆動・位置決定装置（３０）および第１部材（３２）が、ｎが０であるとき、後者が９０°の角度でジャンプするように、また、前記指標（２４）が《９時》の位置から《正午》の位置へ、通過するように、構成されることを特徴とする日付表示装置。
【請求項３】
前記請求項２に記載された装置であって、第１部材が、前記指標（２４）を有する円盤（３２）から形成され、かつ、文字盤（１０）の背後に配置されること、後者は、実質上、円盤（３２）と同心円弧上に配置された９つの窓（２０ａ−２０ｉ）を有し、これらの窓は,《１時》に相当する位置を占有する第１窓（２０ａ）と、最後の窓（２０ｉ）が《９時》の位置に配置されるように、かつ、完全に第１部材の指針（２４）が窓（２０）を通じて見えるように、円弧の中心点に関し、それぞれ３０°の角度で配置されることを特徴とする日付表示装置。
【請求項４】
前記請求項３に記載された装置であって、第２表示部材が、同心円弧上に配置された３つの指標（２６）を有する第２円盤（３４）から形成されること、さらに、文字盤（１０）が、弧上に配置され、かつ、指標（２６）によって形成された弧と同一半径である３つの窓（２２ａ−２２ｃ）を有すること、及び、第２表示部材、駆動・位置決定装置（３０）が、３つの窓（２２）を通じて、１０の位の数字が０、１、２または３であるか否かによって、指標（２６）の１つ、２つ若しくは全部が見え、または全部が見ることができないように配置されること、を特徴とする日付表示装置。
【請求項５】
前記請求項４に記載された装置であって、前記駆動・位置決定装置（３０）および前記部材（３２、３４）が、１の位の数字が０であるか、２と８との間の数字から構成されるときに、１の位の円盤（３２）のみが回転され、１の位の数字が、９であるときに、１の位の円盤（３２）および１０の位の円盤（３４）が両方回転され、１の位の数字が１であり、かつ、１０の位の数字が０、１または２であるときに、１の位の円盤（３２）のみが回転され、１の位の数字が１であり、かつ、１０の位の数字が３であるとき、１０の位の円盤（３４）のみが回転されるように配置されることを特徴とする日付表示装置。
【請求項６】
前記請求項１から５のいずれかに記載された装置であって、前記駆動・位置決定装置（３０）が、それぞれ、第１表示部材（３２）及び第２表示部材（３４）に取り付けられ、かつ、互いに、ジャンパースプリング（１２９、１３６）とその位置へ協働する１２枚歯歯車（１２６、１１８）を有することを特徴とする日付表示装置。
【請求項７】
前記請求項６に記載された装置であって、前記機構が、以下の部材を有することを特徴とする日付表示装置。
・日に１回転し、前記ムーブメントによって駆動させられ、かつ、駆動指（４２）を有する《２４時》歯車（３８）。
・前記ムーブメントに回転可能に軸支され、前記駆動指（４２）によって駆動させられたレバーであって、かつ、戻りスプリング（６６）と協働し、第１部材（３２）に固定された１２枚歯星型歯車（１１８）と協働する第１駆動手段（４４ｉ）、第２駆動手段（４４ｈ）、第３駆動手段（４４ｄ）並びに第４駆動手段（５８）および位置決定手段（４４ｇ）を備えて成り、かつ、日に１段階ずつ星型歯車を駆動させるレバー（４４）。
・３１枚歯日付星型歯車（７０）を有し、第２駆動手段（４４ｈ）の動作により、日に１段階ずつ進む日付歯車部材（４８）と、
レバー位置決定手段（４４ｇ）と協働し、かつ、３１日目に日付歯車部材により占められる位置に相当する第１面である上面と、１の位の数字がゼロ若しくは２から８の数字から構成されるとき、または１の位の数字が１であり、かつ、１０の位の数字が０、１若しくは２であるときに日付歯車部材により占められる位置に相当する第２面である中間面と、１の位の数字が９であるときに日付歯車部材により占められる位置に相当する第３面である底面との３つの面を定義付ける日付カム（７２）。
・駆動指（１０６）と１０枚歯星型歯車（９８）とを備えて成り、かつ、第２部材（３４）に取り付けられた１２枚歯星型歯車（１２６）および１０枚歯星型歯車（９８）用駆動装置（５２）であって、位置決定手段（４４ｇ）が前記カム（７２）の上面（７２ｄ）に接するときに、日を除いて、レバー（４４）による第３駆動手段（４４ｄ）によって日に１段階ずつ駆動され、１の位の数字が９であるときに、駆動指（１０６）が、第２部材（３４）に取り付けられた１２枚歯歯車（１２６）を駆動するように取り付けられた駆動装置。
・日付歯車部材（４８）のうちの３１枚歯星型歯車（７０）に、駆動可能に結合され、レバー位置決定手段（４４ｇ）が、前記カム（７２）の上面（７２ｄ）に接するときに、駆動される３１枚歯星型歯車（８０）を備えて成る逆行１０の位部材（５０）。
・駆動部材（５２）が第２部材（５８）を進行方向に駆動する度に、屈曲され、逆行１０の位部材（５０）が放たれるときに、緩和される第２部材（３４）中の戻りスプリング（１２８）。
・第１部材（３２）に回転可能に取り付けられ、かつ、第４駆動手段（５８）と協働する駆動レバー（１２０）であって、レバー（４４）の位置決定手段（４４ｇ）が前記カム（７２）の底面（７１ａ、７１ｂ、７１ｃ）に接する度に、第１部材に取り付けられた１２枚歯星型歯車（１１８）を３段階ずつ移行させる駆動レバー（１２０）。
【発明の詳細な説明】
【０００１】
本発明は、ムーブメントと、該ムーブメントによって駆動される複数の針と、時刻表示とを有する型式の時計部材に取り付けられるようにした日付表示装置に関する。
【０００２】
第一に、この型式の時計においては、日付が、３１日に１回転する日付針(an additional hand)により表示されていた。１８世紀に起源をもつそれらのうちの１つが、国際ホロロジカル博物館所蔵の選書カタログｐ１５６ La Chaux-de-Fonds(ＩＳＢＮ２−９４００８８−０７−１)に記載されている。それは、このようにアナログ方式表示であった。そのような解決法は簡単であるが、日付針により変えられた角度は、２つの隣接位置が一見して区別されるためには不十分であるので、近似的にしか読み取ることができない。
【０００３】
例えば、前記カタログのｐ２８１に示されているように、広く取引された大部分の時計では、その表示は、１から３１までの数を備え、かつ、日々、進む円盤によるデジタル方式で生じる。日付は、文字盤に設けられた窓に現れる。この情報を表示する数字は、小寸法でなければならず、したがって、読み取り困難である。
【０００４】
この問題の一つの解決手段は、窓を備えて成る文字盤の下に配置されたムーブメントに回転可能に取り付けられた第１および第２表示部材を有して成る装置を提供することにある。これらの部材は、それぞれ、窓を通じて視認可能な数字により１の位、１０の位を表示することを目的とする。該装置は、さらにまた、ムーブメントにより制御され、かつ、一方、他方またはその両部材に日に1度、進むように取り付けられた駆動・位置決定装置を有する。
【０００５】
このような装置は、例えば、スイス特許Ｎｏ．３１０５５９に記載されている。該装置は、２４時間で１回転する歯車を用いた時計仕掛けムーブメントにより制御される。後者は、３１日で１回転し、かつ、日に１回転する２枚の重ね合わせ歯車を有する歯車組立部材により駆動する。表示部材は、横に配置された２枚の円盤であって、１０の位を表示する一方の円盤と、１の位を表示する他方の円盤とを有する。現実の日付は、文字盤に設けられた窓に表示される。
【０００６】
歯車組立部材と円盤とは、表示された日付の１の位の数字が、ゼロであるとき、または２および８の間の数字から構成されるときは、１の位の円盤のみが駆動されるように、１の位の数字が、９であるときは、１の位および１０の位の円盤が両方駆動されるように、１の位の数字が１であり、かつ、１０の位の数字が０、１または２であるときは、１の位の円盤のみが駆動されるように、また、１の位の数字が１であり、かつ、１０の位の数字が３であるときは、１０の位の円盤のみが駆動されるように配置される。このような装置は、日付が大寸法の数字によって表示されるようにする。
【０００７】
日付がより読みやすいことは明らかであり、数字が文字盤に負荷をかけるので、美的満足が少なければ、読みやすいことが、より明白になる。
【０００８】
その他の解決手段は、欧州特許公報Ｎｏ．０６１９０３５に記載されている。それは、アナログ方式の電子時計に関し、該時計は,日付が２種の針によって表示される。第２表示部材が、１周にわたり規則的に分布された１０個の位置において、１の位を表示するとともに、第１表示部材は、これらの間で９０°の角度をなす４個の位置において、１０の位を表示する。
【０００９】
この解決手段は、数字が時針位置に面するように配置される限りにおいて、意図されているだけである。これは、時分表示と同様に、時針が付与値のための通常位置を占めないことから、読取り可能とするために、必要である。この解決手段は、故に、文字盤にかなりの負荷をかける。
【００１０】
本発明の目的は、時計部材の美的満足に寄与するとき、極めて読みやすい方法で日付を表示することにある。
【００１１】
したがって、本発明によれば、ムーブメント、文字盤とムーブメントにより駆動され、かつ、時刻を表示する時針とを有する型式の時計部材を取り付けるようにする表示装置であって、該表示装置は、ムーブメントにより回転駆動され、１の位および１０の位を表示するようにされた第１および第２表示部材と、ムーブメントにより制御され、かつ、一方、他方または両部材を日に１度ずつ進むように取り付けられた駆動・位置決定機構を有する。第１部材が、直立し、かつ、指標を有する軸周りに回転するムーブメントに取り付けられること、また、位置決定機構および第１部材は、位置決定機構が、１位の表示を値ｎからｎ＋1まで変化させるときは（ｎは１から９までの整数である。）、第１部材が、時計回りに３０°と等価な角度を進むように取り付けられること、ｎが１であるときは、指標が、第１部材周りに回転する時針が、１時のときに占めるその位置に相当する位置に取り付けられること、を特徴とする。
【００１２】
９から０への移行を確実にするために、機構および第１部材が、ｎが０であるとき、後者が９０°進むように、また、指標が《９時》の位置から《正午》の位置へ、最短ルートで通過するように、配置される。
【００１３】
特に有利な態様において、第１部材が、指標を有する円盤を有してなり、かつ文字盤の下に取り付けられる。後者は、実質上円盤と同心円の弧を描くように配置された９つの窓を有し、これらの窓は,《１時》に相当する位置を占める第１窓と、最後の窓が《９時》の位置に配置されるように、かつ、完全に第１部材の指標が窓を通じて見えるように、円弧の中心点に関し、それぞれ３０°の角度で配置される。
【００１４】
１の位を表示するために、もし、時針の位置に相当する位置にある指標を用いることが有利のようであれば、その状態は、１０の位の表示とは異なる。確かに、０から３の間の数字から構成された対象物であるは数字の認識は、問題なく、かつ、ひと目で可能となる。これは、有利には、第２表示部材が、ムーブメント上に回転可能に取り付けられ、かつ、弧上に配置された３つの指標を有する円盤から構成されて成るということ、および、文字盤が、弧上に配置され、かつ、指標によって形成された弧と同一半径の３つの窓を有することによる。さらにまた、１０の位表示部材、駆動・位置決定装置は、０、１、２または３の指標が、１０の位の数字が０、１、２または３であるか否かによる３つの窓を通じて見ることができるように取り付けられる。
【００１５】
美的に満足できる表示は、円盤の正確な位置を要する。これは、機械装置が第１、第２部材およびその位置にジャンパースプリングと協働する各部材それぞれに取り付けられた２つの１２枚歯星型歯車を備えて成るからである。
【００１６】
３１日に満たない月の補正を要するだけの最適駆動を可能にするため、機構および表示部材は、１の位の数字が０であるか、または、２と８との間の数字から構成されるときに、１の位の円盤のみが回転され、１の位の数字が、９であるときに、１の位および１０の位の円盤が両方回転され、１の位の数字が１であり、かつ、１０の位の数字が０、１または２であるときに、１の位の円盤のみが回転され、１の位の数字が１であり、かつ、１０の位の数字が３であるとき、１０位の円盤のみが回転されるように取り付けられる。
【００１７】
機械の最適動作を確保するため、機構は、さらに以下を有する。
【００１８】
日に１回転し、前記ムーブメントによって駆動させられ、かつ、駆動指を有する《２４時》歯車。
【００１９】
ムーブメントに回転可能に取り付けられ、前記駆動指によって駆動させられたレバーであって、かつ、戻りスプリングと協働し、第１部材に取り付けられた１２枚歯星型歯車と協働する第１駆動手段、第２、第３並びに第４駆動手段および位置決定手段を備えて成り、かつ、日に１段階ずつ星型歯車を駆動させるレバー。
【００２０】
３１枚歯日付星型歯車を有し、第２駆動手段の動作により、日に１段階ずつ進む日付歯車部材と、
レバー位置決定手段と協働し、かつ、３１日目に日付歯車部材により占められる位置に相当する第１面である上面と、１の位の数字がゼロ若しくは２から８の数字から構成されるとき、または１の位の数字が１であり、かつ、１０の位の数字が０、１若しくは２であるときに日付歯車部材により占められる位置に相当する第２面である中間面と、１の位の数字が９であるときに日付歯車部材により占められる位置に相当する第３面である底面との３つの面を定義付ける日付カム。
【００２１】
１０枚歯星型歯車を備えて成り、かつ、位置決定手段がカムの上面と接するときに、日を除いて、レバーによる第３駆動手段によって日に１段階ずつ駆動され、さらに、１の位の数字が９であるときに、フラートが放たれるように配置された第２部材に取り付けられた１２枚歯星型歯車を振動させる駆動装置。
【００２２】
日付歯車部材のうちの３１枚歯星型歯車に、駆動可能に結合され、レバー位置決定手段が、前記カムの上面に接するときに、放たれる３１枚歯星型歯車を備えて成る逆行１０の位部材。
【００２３】
駆動フラートが第２部材を進行方向に駆動する度に、屈曲され、逆行１０の位部材が放たれるときに、緩和される第２部材中の戻りスプリング。
【００２４】
第１部材に回転可能に取り付けられ、かつ、第４駆動手段と協働する駆動レバーであって、レバー位置決定手段がカム底面に接する度に、第１部材に取り付けられた１２枚歯星型歯車を３段階ずつ移行させる駆動レバー。
【００２５】
本発明における他の特徴および利点は、図面を参照しながら、以下の記載により明らかとなる。
【００２６】
図１および図２に、概略的に示された時計は、一般的態様において、文字盤１０と、それぞれ、時および分を表示し、該文字盤の前面に取り付けられた針１２および１４と、を有する。
【００２７】
図１において、時計は樽型である。該時計の文字盤は、６を除いた１から１２までの数字から構成される定時目盛１６を有する。該時計は、また、それぞれ、文字盤の中心と６時の位置との間からなる領域を占める２つの同心円上に配置された窓であって、１の位の数字を表示するための窓２０と、１０の位の数字を表示するための３つの窓２２と、を備える。
【００２８】
該時計においては、日付表示は、指標の位置によって、１の位の値を表示することを目的とされた指標２４と、１０の位を表示することを目的とされた３つの指標２６と、によって達成される。
【００２９】
窓２０は、互いに、３０°の角度、すなわち時針が１時間に移動する角度を定義する。換言すれば、もし、時針が同心円上に回転するならば、窓２０ａを１時の位置に、第２窓２０ｂを２時の位置に向ける等のように配置されるだろう。
【００３０】
指標２４は、窓２０のうちの１つを通じて現われ、その位置によって、１の位の数字を表示し、図１では、数字は３である。指標２６のうちの２つは、１０の位の数字が２であることを表示するための第１の２つの窓２２ａおよび２２ｂを通じて目に見える。換言すれば、実際の日付は、２３日である。
【００３１】
図２の態様において、窓２０は、定時目盛１６の１から９の数字、数字６に隣接する窓２０ｆに面するように、また、指標２４を縁取るように配置される。１の位の数字は６である。
【００３２】
窓２２は、１１時と１時との間の領域に配置され、２つの指標２６が窓２２ａおよび２２ｂに現われている。１０位の数字は２である。この場合、表示された日付は２６である。
【００３３】
前記２例において、切込部分２０および２２は丸い。その他の形でもかまわないことは明白である。ゆえに、図２における例では、これらの窓は、有利には、その位置に相当する数字の形を有し、かつ、定時目盛１６に代えることができる。
【００３４】
図３および４は、図１に示す態様における日付を表示する時計ムーブメントを示す。該ムーブメントの構成は、月の２９日に相当する位置を占める。これらの図は、覆蓋または部材の全部若しくは一部の除去した点で異なる。
【００３５】
ムーブメントは、機構３０が取り付けられている板２８、図３に点線で示され、かつ、図には示されていない指標２４並びに３つの指標２６を有する同心円盤３２および３４を備える。
【００３６】
時計ムーブメントは、さらにまた、ムーブメント中心に取り付けられ、かつ、時針１２を有するようにした時針歯車３６を除く板２８の他側面に取り付けられているので、図に記載されていない時間軸およびギアトレーンを有する。
【００３７】
機構３０は、日に１回転する《２４時》歯車３８により時針歯車３６に結合され、かつ、図に記載されていない植込ボルトにより板２８に回転可能に軸支され、さらに、ネジ４０によって軸支される。歯車３８と同軸の指４２は、歯車３８に打ち込まれ、かつ、指４２に接するピン３８ａにより歯車３８に回転可能に軸支される。
【００３８】
板平面に分散され、かつ、《正午》の位置から時計回りに考慮された機構３０は、回転可能に軸支され、かつ、ネジ４６により《正午》の近傍に取り付けられたレバー４４と、《３時》の近傍に取り付けられた日付歯車部材４８と、《４時》の近傍に取り付けられた逆回転１０の位部材５０と、《６時》に取り付けられ、かつ、同軸の１の位歯車５４並びに１０の位歯車５６および《８時》の近傍に取り付けられた１０の位部材５２と、を有する。
【００３９】
もっと正確に、レバー４４は、ネジ４６が噛み合わされる穴が貫通した膨部４４ａを有する。それは、膨部４４ａの一側面に配置された第１腕部４４ｂおよび第２腕部４４ｃから成る。その自由端で、腕部４４ｂは、部材５２と協働することを目的とされた指４４ｄを形成する。
【００４０】
第２腕部４４ｃは、２つの歯４４ｅおよび４４ｆを有する二股を備えて成る。歯４４ｅは、歯車部材４８と協働することを目的とされた指４４ｇに帰する。その中間部にある歯４４ｆは、日付歯車４８と協働することを目的とされたスナグ４４ｈを有する。自由端において、歯車５４と協働することを目的とされた指４４ｉを形成し、さらに、駆動レバー５８を支持する。後者は、ネジ６０により回転可能に軸支され、かつ、歯４４ｆに取り付けられたピン６２に接するスプリング５８ａを備えて成る。該スプリング５８ａは、本明細書に記載された歯車部材５４にレバー５８を適応させるようにした力を発生する。
【００４１】
レバー４４は、回転軸に対して垂直平面となるような位置に保持されなければならない。したがって、腕部４４ｂは、円弧上に、切込部分４４ｋを有し、円弧の中心がネジ４６の軸と一致し；肩を有するネジ６４は、噛み合わされ、かつ、軸の動作を制限する。
【００４２】
ネジ６７により《１時》の近傍の板表面に取り付けられたレバースプリング６は、歯４４ｆに取り付けられたピン６８と協働し、かつ、時計回りにレバー４４を回転させるような力を発生する。後者は、図３および４で示されるように、日付歯車部材４８を静止位置に支持される。
【００４３】
日付歯車部材４８は、互いに回転可能に軸支された３１枚歯星型歯車７０およびカム７２を有する。前記日付歯車部材は、図には示されていない板２８の植込ボルトを軸に回転し、該板上に、前記日付歯車部材が、ネジ７４によって、軸支される。星型歯車７０は、毎夜、歯車組立部材４４を、１段階ずつ進行方向へ進めるようにスナグ４４ｈおよびその経路と同一平面上に取り付けられた三角形外縁の歯を備えて成る。後者は、月に１回転する。ネジ７８によって、板２８表面の《２時》の近傍に取り付けられたジャンパースプリング７６は、歯車部材４８を取り付けるための星型歯車７０と協働する。
【００４４】
カム７２は、３つの切込部または切欠７２ａ、７２ｂおよび下面を定義する７２ｃと、上面を定義し、かつ、３１日目から月の第１日目への移行に対応する突出部７２ｄと、切欠および突出部の間に配置され、他の日の日付に対応する中間平面を定義する弧７２ｅから７２ｈまでの部分にある４つの表面とから成る３つの放射状平面を有する。
【００４５】
それは、指４ｇに対して同一平面に取り付けられ、静止位置においてレバー４４を支持するものとして機能する。
【００４６】
逆行１０の位部材５０は、星型歯車と噛み合わされた星型歯車であって、三角形外縁の歯を備えた３１枚歯星型歯車８０と、星型歯車５０上に取り付けられたカム８２とを有する。歯車部材３８と同じく、前記１０の位部材は、月に１回転する。また、前記逆行１０の位部材は、図には記載されていない板２８の植込ボルトを軸に回転し、該板上に、前記逆行１０の位部材が、ネジ８４によって、軸支される。
【００４７】
カム８２は、重ねられ、かつ、互いに回転可能に取り付けられた渦巻形状部材８６および指８８から形成されて成る。渦巻形状部材８６は、円形切込部分９０を有し、該円形切込部分に、星型歯車８０に取り付けられたピン９２が取り付けられる。ピン９２は、星型歯車８０が、常時、進行方向に移動するように、星型歯車が、自身と共にカム８２を駆動するように星型歯車８０とカム８２との間の結合を確実にする。切込部分９０によって、該切込部分におけるピン９２が取り付けられ、指８８および渦巻形状部材８６は、約４５°の角度で相対的な動きをすることができる。
【００４８】
逆行１０の位部材５０は、ネジ９６および９７によって、《５時》と《６時》との間に、それぞれ取り付けられたジャンパースプリング９４およびフラート９５と協働する。そこに取り付けるために、ジャンパースプリング９４は、星型歯車８０に噛み合わされる。フラート９５は、以下に説明する１０の位部材の逆行を制御するために、渦巻形状部材８６に接する。
【００４９】
１０の位部材５２は、１０枚歯星型歯車９８およびカム１００を有する。星型歯車９８は、毎日１段階ずつ進行方向へ移動するように、該１０の位部材が協働する指４４ａと同じ高さに取り付けられた三角形外縁の歯を有する。したがって、１０日で１回転する。部材５２は、図には記載されていない板２８の植込ボルトに回転可能に取り付けられ、該板上に、前記１０の位部材が、ネジ１０２によって、軸支される。
【００５０】
カム１００は、渦巻形状部材１０４と、重ね合わされ、かつ、回転可能に互いに取り付けられた指１０６と、から形成されて成る。星型歯車９８は、円形切込部分１０８を有し、該円形切込部分に、渦巻形状部材１０４に取り付けられたピン１１０が嵌め込まれる。ピン１１０は、星型歯車９８が、常時、進行方向に移動するように、星型歯車が、自身と共にカム１００を駆動するように星型歯車９８とカム１００との間の結合を確実にする。切込部分１０８によって、該切込部分におけるピン１１０が取り付けられ、指１０６および渦巻形状部材１０４は、約４５°の角度で相対的な動きをすることができる。
【００５１】
１０の位部材５２は、ネジ１１４および１１５によって、おおよそ《７時》における板表面に、それぞれ取り付けられたジャンパースプリング９４およびフラート９５と協働する。ジャンパースプリング１１２は、星型歯車９８の歯に噛み合わされ、かつ、そこに取り付けられることを目的とされる。フラート１１３は、以下に説明する１０の位部材の進行方向への移行を制御するために、渦巻形状部材１０４に接する。
【００５２】
図５および６は、詳細に、歯車組立部材５４および５６を示し、また、図６においてのみ、それぞれ、組み合わされる円盤３２および３４が示されている。さらに正確には、図５は上面図であり、また、図６は、図５における線ＶＩ−ＶＩに沿って切断した図である。
【００５３】
これらの図に見られるように、歯車組立部材５４および５６は、同軸であり、板２８に打込まれた植込ボルト１１６を回転可能に軸支される。該歯車組立部材５４および５６は、互いに自由に回転することができるように取り付けられる。
【００５４】
さらに正確には、１の位歯車組立部材５４は、１２枚歯星型歯車１１８および渦巻形状部材１２０を有し、該１２枚歯星型歯車および渦巻形状部材１２０は、重ね合わされ、互いに結合され、かつ、２つの植込ボルト１１２によって、渦巻形状部材１２０上に取り付けられた円盤３２と結合される。
【００５５】
星型歯車１１８は、日に１段階ずつ駆動するように、指４４ｉおよびその進行経路の同一平面に取り付けられた三角形外縁の歯を有する。
【００５６】
渦巻形状部材１２０は、駆動レバー５８と同一面に取り付けられ、以下に説明するように、《９》の付く日の終わりに、該渦巻形状部材が、駆動レバーと協働する。
【００５７】
星型歯車１１８は、渦巻形状部材１２０および円盤３２は、同一径である同軸同心円の穴を有し、共にベアリング１２３を形成する。
【００５８】
円盤３４を支持する１０位歯車組立部材５６は、植込ボルト１１６に回転可能に軸支されたパイプ１２４と、三角形外縁の歯を有し、パイプ１２４にリベット留めされた１２枚歯星型歯車１２６と、回転するように星型歯車１２６に取り付けられたラック１２７と、から形成されて成る。
【００５９】
パイプ１２４の取り付けを確実にするため、円盤３４は、その下面にベアリング１２３に取り付けられたソケット３４ａを有する。パイプ１２４は、１２４ａ、１２４ｂおよび１２４ｃの３つの円柱部分を有する。板２８に隣接した部分１２４ａは、星型歯車１２６を支持する。中間部であり、大径を有する部分１２４ｂは、ベアリング１２３の軸として機能する。該部分１２４ｂは、ソケット３４ａと同一径を有する。最後に、部分１２４ｃは、円盤３４および歯車組立部材５６を、互いを強固に取り付けるために、ソケット３４ａ、円盤３２から形成されて成る組立部材およびそこに組み込まれている歯車組立部材５４に打込まれる。
【００６０】
図４に示すように、スプリング１２８およびジャンパースプリング１２９は、歯車組立部材５６と協働する。《４時》の近傍にスプリング１２８が、また、《７時》の近傍にジャンパースプリング１２９が、それぞれ、ネジ１３０および１３１によって、板表面に取り付けられる。星型歯車１２６は、スプリング１２８と同一の高さに取り付けられ、かつ、スプリング１２８の端部１２８ａに接するピン１２３を有する。
【００６１】
板２８に打込まれたピン１３４は、ラック１２７が、その運動行程の終わりに達したとき、それを止めるために機能する。
【００６２】
ジャンパースプリング１２９は、星型歯車１２６の歯に噛み合わされる。該ジャンパースプリングは、指８８が通過する領域に配置されるステム１２９ａまで伸ばされる。
【００６３】
歯車組立部材５４が、どのように取り付けられるかを理解するために、参考になるのは、図３であり、該図は、星型歯車１１８の歯に噛み合わされたジャンパースプリング１３６を表す。ジャンパースプリング１３６は、６時の近傍に取り付けられたネジ１３８によって、板２８に取り付けられる。
【００６４】
上述において、ジャンパースプリングとフラートとの違いは、ネジによって、板に取り付けられているように記載されていた。言うまでもなく、正確な位置を保証するために、板にピンを取り付けること、ジャンパースプリングとピンが取り付けられる穴を有するフラートとをたがいに備えること、が有利である。この方法は、本発明の属する技術の分野における通常の知識を有する者によく知られ、そのことが、図面への負担を避けるために、それが示されなかったことの理由である。
【００６５】
機構３０は、すでに記載されているように、カム７２に接するレバー４４の初期位置によって、定義付けられた３つの操作手順を有する。
【００６６】
その月の９日、１９日、２９日および３１日を除いた日には、レバー４４にある指４４ｇは、部分７２ｅから７２ｈにより定義されるカムの中間面にある。９日、１９日、２９日には、該カムが、切欠７２ａ、７２ｂおよび７２ｃそれぞれに噛み合わされる。最終的に、３１日には、指４４ｇが突出部７２ｄに接する。これら異なる事情は、引き続き調査されるだろう。
【００６７】
２０時を過ぎると、ピン３８ａを通じて指４２を駆動する《２４時間》歯車３８が、自由に回転する。この間、レバー４４は、カム７２に接する指４４ｇによって定義付けられた静止位置にある。機構３０は、それ以降、静止する。
【００６８】
約２２時では、腕部４４ｃの二股領域に隣接する指４２は、レバー４４に、特に、歯４４ｆの壁面に接するようになる。次に、レバーは、ゆっくりと４４ａを中心に、反時計回りに回り、巻回スプリング６６は、指４２に反力を及ぼす。
【００６９】
指４４ｇが、カム７２の中間部分に接するとき、反力がネジ４０に軸を通過する直前に、指４４d、４４fおよびスナグ４４ｈは、それぞれ、全てを進行方向へと１段階ずつ進める星型歯車７０、９８および１１８の歯と接するようになる。
【００７０】
円盤３２が星型歯車１１８と中心に回転可能に軸支されるので、円盤３２により備えられた指標２４は、日に１段階ずつある窓２０から他の窓へ移行し、該指標が、９時に取り付けられた窓２０iに達して初めて、日付装置が９であることを示す。
【００７１】
反力が、ネジ４０の軸を動かした後に、ピン３８ａからそれを移動させるのに資する指４２にトルクを発生する。次に、レバー４４がカム７２に再度接触するまで、スプリング６６に加えられた力により駆動される時計方向に回転する。もし、翌日が９、１９、２９または３１日と異なれば、指は、カム７２の中間部に接するようになる。結果的に、２０時以降に、同行程が再び起こる。
【００７２】
もし、逆に、翌日の１の位の数字が、９であれば、指４４ｇは、底面切欠７２ａ、７２ｂまたは７２ｃのうちの１つに噛み合う。さらに、歯車組立部材５４は、駆動レバー５８が、渦巻形状部材１２０の渦線の２つの端部にある結合平面１２０ａに引掛けられるように回転する。
【００７３】
指４２が、この位置に設置されたレバー４４に接するとき、該指の動きは、指標２４が文字盤の正午の位置に配置されるように、引き続き、３０°に３回、歯車組立部材５４が回転して始まる。文字盤は、この位置において、窓を有さず、指標は覆蓋され、それにより、１の位の数字が０であることを表す。
【００７４】
その上、前述の様に、指４４ｄが、星型歯車９８を１段階ずつ、かつ、カム１００と共に進めるスナグ４４ｈは、星型歯車７０を駆動する。
【００７５】
後者は、フラート１１３が、渦巻形状部材１０４の外側端部を通り越し、かつ、カム１００の急な移動を生じさせるために、指１０６がラック１２７を駆動するように、取り付けられる。１０の位歯車組立部材５６は、１段階ずつ進行方向へ移動し、日付指標２６が、１０の位窓２２を通じて見ろことができる。
【００７６】
反力が、ネジ４０の軸を通過した後、レバー４４は、再び元の位置につき、カム７２の中間部分に接する。
【００７７】
３１日目から翌月の１日目に移行する間、円盤部材３２および１０の位部材５２は、それらが占めるその位置に留らねばならず、そして、１０の位円盤は、１０の位指標２６が消えるように、逆行しなければならない。
【００７８】
これらの状態は、レバー４４の動作幅を狭くするという事実のために、突出部７２ｄに接する指４４ｇを満足させる。結果的に、指４４ｄおよび４４ｉの動きは、星型歯車９８および１１８の歯を噛み合わすには、不十分である。他言すれば、スナグ４４ｈのみが、普通に働き、かつ、星型歯車７０の歯を進行方向に１段階ずつ進める。該歯は、星型歯車８０および渦巻形状部材８６と共に駆動し、該歯は、フラート９５が、渦巻形状部材８６の上端を通過するような位置に達する。
【００７９】
これは、渦巻形状部材８６および指８８の突発的回転を引き起こすトルクを生じる。指８８は、ステム１２９ａを持ち上げる。次に、ジャンパースプリング１２９は、星型歯車１２６から離される。スプリング１２８は、星型歯車１２６を反時計回りに、９０°超過の回転をさせるために、もはや保持されてはいない。この位置において、３つの指標２２は、文字盤によって覆蓋され、したがって、１０の位の数字は、ゼロである。
【００８０】
本発明によれば、装置は、もちろん、多種多様な課題があるかもしれない。特に、時刻合わせステムによる従来方式で制御された迅速補助機構を組み合わせることは可能である。
【００８１】
万年カレンダー付時計取り付けられた型式の制御方式も可能である。この場合、月は、他の指針で表示されることができ、有利には、定時目盛に面して移動する第一部材の指標よりも明白である。結果として、この他の指標は、１月１日、２月２日等に面する。
【図面の簡単な説明】
【図１】  図１は、表示部材の２つの配置を示す図である。
【図２】  図２は、表示部材の２つの配置を示す図である。
【図３】  図３は、２９日目の表示している駆動装置を示す図である。
【図４】  図４は、２９日目の表示している駆動装置を示す図であり、本発明の理解を容易にするために、いくつかの部品が除かれている。
【図５】  図５は、それぞれ、この装置の部分的な平面図である。
【図６】  図６は、それぞれ、この装置の部分的な横断面図である。
【図１】
0004675540.tif 000002
【図２】
0004675540.tif 000003
【図３】
0004675540.tif 000004
【図４】
0004675540.tif 000005
【図５】
0004675540.tif 000006
【図６】
0004675540.tif 000007